(57)【要約】【課題】  全てのタオルハンカチが均等に圧縮固化され、見栄えに優れ、高い商品価値を発揮することのできる固形布製品の製造方法を提供する。【解決手段】  ペット用の足拭き等として使用することのできるタオルハンカチ１を、複数枚、圧縮固化した固形布製品の製造方法であって、色の異なる複数枚のタオルハンカチ１のそれぞれを、左右方向に四つ折りにした後、それをその中央で前後方向に二つ折りにして複数の半製品２とし、最初の半製品２を、四角筒形状の角筒Ｔに、その上端面層ライン２ａが角筒Ｔに対して略４５°の角度を成すように収納し、その上に、各半製品２をその上端面層ライン２ａが、下位の半製品２に対して９０°の角度で交差するように積み重ねた後、その上からピストンＰで圧縮固化する。【選択図】      図４
2007277735.tif 000002
【特許請求の範囲】
【請求項１】
ペット用の足拭き等として使用することのできるタオルハンカチ（１）を，複数枚，圧縮固化した固形布製品の製造方法であって、色の異なる複数枚のタオルハンカチのそれぞれを，左右方向に四つ折りにした後，それをその中央で前後方向に二つ折りにして複数の半製品（２）とし、最初の半製品を，四角筒形状の角筒（Ｔ）に，その上端面層ライン（２ａ）が前記角筒に対して略４５°の角度を成すように収納し，その上に，各半製品をその上端面層ラインが，下位の半製品の上端面層ラインに対して９０°の角度で交差するように積み重ねた後，その上からピストン（Ｐ）で圧縮固化してなる固形布製品の製造方法。
【請求項２】
ピストン（Ｐ）で圧縮固化する際，該ピストンの押圧面Ｐ１に形成した刻印型によって、最上位の半製品（２）の上面に図柄（３）を刻印し、さらに，圧縮固化した後，透明または半透明のフィルム（４）で包装してなる請求項１に記載の固形布製品の製造方法。
【発明の詳細な説明】
【技術分野】
【０００１】
本発明は、例えば、ペット用の足拭きとして使用することのできるタオルハンカチを複数枚、圧縮固化した携帯に容易な固形布製品の製造方法に関するものである。
【背景技術】
【０００２】
本発明者らは、これまでに、ペット用の足拭き等として使用することのできるタオルハンカチを複数枚、重ねて圧縮固化した固形布製品を創案した。
【０００３】
この固形布製品は、複数枚（５枚）の正方形状のタオルハンカチをそれぞれ左右方向に四つ折りにして長尺状とし、さらにその中央で前後方向に二つ折りにして半製品２とした後、図１に示すように、四角筒形状の角筒Ｔ内に一枚ずつ、その上端面層ライン２ａが交互に９０°の角度で交差するように重ねた後、その上からピストンＰで圧縮し、一つの製品としていた。
【発明の開示】
【発明が解決しようとする課題】
【０００４】
しかし、図２に示すように、こうして製造した固形布製品２０は、上層部の半製品２（タオルハンカチ１）は充分な圧縮力を受けるのでほぼ平坦な層に固形化されるが、それより下層部の半製品２は、充分な圧縮力を受けることができないため、充分に圧縮されず、凹凸状の層を形成していた。そのため、見栄えが優れず、高い商品価値を持たせるまでには至らなかった。
【０００５】
本発明はこうした問題に鑑み創案されたもので、全てのタオルハンカチが均等に圧縮固化され、見栄えに優れ、高い商品価値を発揮することのできる固形布製品の製造方法を提供することを課題とする。
【課題を解決するための手段】
【０００６】
図３および図４を参照して説明する。請求項１に記載の発明は、ペット用の足拭き等として使用することのできるタオルハンカチ１を、複数枚、圧縮固化した固形布製品の製造方法であって、色の異なる複数枚のタオルハンカチ１のそれぞれを、左右方向に四つ折りにした後、それをその中央で前後方向に二つ折りにして複数の半製品２とし、最初の半製品２を、四角筒形状の角筒Ｔに、その上端面層ライン２ａが前記角筒Ｔに対して略４５°の角度を成すように収納し、その上に、各半製品２をその上端面層ライン２ａが、下位の半製品２の上端面層ライン２ａに対して９０°の角度で交差するように積み重ねた後、その上からピストンＰで圧縮固化してなるものである。なお、タオルハンカチ１の色は、全てが異なっていることが装飾上好ましいが、少なくとも、隣接するものの色が異なっていれば良い。
【０００７】
請求項２に記載の発明は、請求項１に記載の発明において、ピストンＰで圧縮固化する際、当該ピストンＰの押圧面Ｐ１に形成した刻印型によって、最上位の半製品２の上面に図柄３を刻印し、さらに、圧縮固化したのち、透明または半透明のフィルム４で包装してなるものである。
【発明の効果】
【０００８】
請求項１に記載の発明は、最初の半製品２を、四角筒形状の角筒Ｔに、その上端面層ライン２ａが当該角筒Ｔに対して略４５°の角度を成すように収納し、その上に、各半製品２をその上端面層ライン２ａが、下位の半製品２に対して９０°の角度で交差するように積み重ねた後、その上からピストンＰで圧縮固化するので、全ての半製品２（タオルハンカチ１）を均等に圧縮固化することができる。
【０００９】
すなわち、最初の半製品２を角筒Ｔに、略４５°の角度で収納することによって、当該半製品２の両側と角筒Ｔとの間に隙間Ｇが形成される。また、その上に順次積み重ねる各半製品２の両側と角筒Ｔとの間にも同様に隙間Ｇが形成される。従って、ピストンＰで押圧すると、全ての半製品２が隙間Ｇに押しやられるように圧縮されるので、上位の半製品２も下位の半製品２も同等の押圧力を受けることができ、その結果、側面形状が斜めに傾斜した状態で均等に圧縮固化される。従って、見栄えにも優れ、商品価値も高くなる。
【００１０】
なお、タオルハンカチ１はそれぞれ色が異なるので、固形布製品中に納められているタオルハンカチの収納枚数が簡単に分かり、また複数の半製品２（タオルハンカチ１）で形成される層によって装飾性が現出され、これによっても見栄えと商品価値を高めると共に、使用に当たっては隣接するタオルハンカチの区分面が簡単に分かるので、簡単正確に個々のタオルハンカチを分離することが容易にできる。
【００１１】
請求項２に記載の発明は、ピストンＰで圧縮固化する際、最上位の半製品２の上面に図柄３を刻印するので、さらに見栄えに優れ、より商品価値を高めることができる。
【００１２】
さらに、半製品２を圧縮固化したのち、透明または半透明のフィルム４で包装するので、型くずれせず、また、包装状態で、手で触ってもタオルハンカチ１が汚れないので、これによっても、商品価値を大きく高めることができる。なお、フィルム４は透明または半透明であるため、複数の半製品２によって形成される装飾性のある層を視覚させることができる。従って、見栄えおよび商品価値をさらに高めることができる。
【発明を実施するための最良の形態】
【００１３】
本発明の係る固形布製品の製造法の実施形態を、図３および図４に示す。これは、ペット用の足拭きとして使用するタオルハンカチ１を、５枚、圧縮固化した携帯に容易な固形布製品の製造方法である。
【００１４】
この製造法は、まず、色の異なる５枚のタオルハンカチ１のそれぞれを、左右方向に四つ折りにする（図３（ａ）（ｂ））・・・四つ折りの仕方は、これに限定されず、左右を四分の一ずつ折り、次いで中央で二つ折りしてもよい・・・。次に、それをその中央で前後方向に二つ折りにして複数の半製品２とする（図３（ｃ）（ｄ））。そして、最初の半製品２を、平面正方形の四角筒形状である角筒Ｔに、その上端面層ライン２ａが角筒Ｔに対して略４５°の角度を成すように収納する（図４（イ））。続いて、その上に、二つ目の各半製品２をその上端面層ライン２ａが、最初の半製品２の上端面層ライン２ａに対して９０°の角度で交差するように積み重ねる（図４（ロ））。さらに、三つ目の半製品２を、その上端面層ライン２ａが二つ目の半製品２の上端面層ライン２ａに対して９０°の角度で交差するように積み重ねる（図４（ハ））。これと同様に、四つ目と五つ目の半製品２をそれぞれ積み重ねる。
【００１５】
五つの半製品２を積み重ね終えた後、その上からピストンＰで圧縮固化する。これにより完成した固形布製品１０は、図５に示すように、その側面形状において、各半製品２が均等に斜めに傾斜した状態に形成される。従って、見栄えに優れ、高い商品価値を付与することができる。なお、下金型Ｂ上に配置した角筒Ｔの下端内には硬質ゴム材Ｒを配置してあり、圧縮固化後は、ピストンＰを降下させたまま角筒Ｔを上昇させて硬質ゴム材Ｒ及び固形布製品１０から角筒Ｔを離し、最後にピストンＰを上昇させ、固形布製品１０を解放して取出す。
【００１６】
また、各タオルハンカチはそれぞれ色が異なるので、それらが形成する層で優れた装飾性を現出させることができ、見栄えと商品価値をさらに高めることができる。
【００１７】
なお、ピストンＰで圧縮固化する際、当該ピストンＰの押圧面Ｐ１に刻印型を形成しておき、図６に示すように、最上位の半製品２の上面に図柄３を刻印することによって、さらに装飾性を高めて商品価値を高めることができる。また、同図および図５（ａ）に示すように、圧縮固化した後、透明または半透明のフィルム４で包装することによって、型くずれと汚れの付着を効果的に防止することができるので、さらに商品価値を高めることができる。
【００１８】
なお、本発明におけるタオルハンカチ１および固形布製品１０の大きさは限定されない。当該固形布製品１０を構成する各タオルハンカチ１は、ペット用の足拭き以外にも、例えば、人が用いる通常のハンカチ等としても使用することができる。固形布製品１０の大きさは縦４ｃｍ、横４ｃｍ、高さ４．５ｃｍ程度のものである。
【実施例】
【００１９】
２０ｃｍ×２０ｃｍのタオルハンカチを図３に示す如く畳んで、４ｃｍ×４ｃｍの貫通角穴を有する角筒Ｔ中に、図１または図４に示す手段に従って、順次５枚挿入し、ピストンＰに８０ｋｇ／ｃｍ２の押下力を加え、タオルハンカチを圧縮したところ、それぞれ図２，図５の形状を有する固形布製品１０，２０を得た。図２の固形布製品の大きさは、縦４ｃｍ，横４ｃｍ，高さは１０回の実験例の平均５ｃｍであったが、図５の固形布製品の大きさは、縦・横同一であったが、高さは１０回の実験例の平均４．５ｃｍであった。
【図面の簡単な説明】
【００２０】
【図１】本発明者らが本発明に先立って創案した製造方法を示すもので、（ａ）は平面図、（ｂ）は側面図である。
【図２】図１に示す製造方法によって製造した固形布製品を示すもので、（ａ）は正面図、（ｂ）は側面図である。
【図３】本発明に係る製造方法の実施形態において、タオルハンカチを折って半製品とする順序を示す平面図である。
【図４】本発明に係る製造方法の実施形態において、半製品（タオルハンカチ）を角筒に収納する順序を示すもので、（ａ）は平面図、（ｂ）は側面図である。
【図５】本発明の実施形態に係る製造方法によって製造された固形布製品を示すもので、（ａ）は正面図（背面図と同じ）、（ｂ）は左側面図（右側面図と同じ）である。
【図６】図５に示す固形布製品の平面図である。
【符号の説明】
【００２１】
１        タオルハンカチ
２        半製品
２ａ      上端面層ライン
３        図柄
４        フィルム
１０      固形布製品
２０      固形布製品
Ｂ        下金型
Ｇ        隙間
Ｐ        ピストン
Ｐ１      押圧面
Ｒ        硬質ゴム材
Ｔ        角筒
【図１】
2007277735.tif 000003
【図２】
2007277735.tif 000004
【図３】
2007277735.tif 000005
【図４】
2007277735.tif 000006
【図５】
2007277735.tif 000007
【図６】
2007277735.tif 000008